(57)【要約】【課題】携帯型電子機器の充電用のポート内部等の汚れを簡単に取り除くことのできる携帯型電子機器の掃除棒を提供すること。【解決手段】スマートフォン等の掃除棒１は、棒本体部２と、その一方の端に設けた針形状の第１塵取り用先端部３と、他方の端に設けた平板形状の第２塵取り用先端部４とを備えている。掃除棒１は、その両端に異なる形状の第１、第２塵取り用先端部３、４を備えており、これら第１、第２塵取り用先端部３、４は所定方向に撓み可能である。スマートフォンの充電用ポート等の奥に付着した塵等の汚れを簡単に除去できる。第１、第２塵取り用先端部３、４は撓み可能であるので、これらを小さなポートに挿入し、その内部の必要部分に塵取り用素材（起毛素材）が当たるように撓めることで、効率良く、ポート内部の汚れを取り除くことができる。【選択図】図１
0003225349.tif 000002
【実用新案登録請求の範囲】
【請求項１】
棒本体部と、前記棒本体部の一方の端に設けた第１塵取り用先端部と、前記棒本体部の他方の端に設けた第２塵取り用先端部とを備えており、
前記第１塵取り用先端部は、前記棒本体部の一方の端から延びる第１棒端部分と、この第１端部分に取り付けた第１塵取り用素材とを備え、所定方向に撓み可能であり、
前記第２塵取り用先端部は、前記棒本体部の他方の端から延び、前記第１棒端部分とは異なる形状をしている第２棒端部分と、この第２棒端部分に取り付けた第２塵取り用素材とを備え、所定方向に撓み可能である携帯型電子機器の掃除棒。
【請求項２】
請求項１に記載の携帯型電子機器の掃除棒において、
前記棒本体部は円形断面形状をしており、
前記第１塵取り用先端部の前記第１棒端部分は、前記棒本体部よりも小径の円形断面の針形状をした撓み可能な部分であり、
前記第１塵取り用素材は、前記第１棒端部分の表面を覆っており、
前記第２塵取り用先端部の前記第２棒端部分は、前記棒本体部の直径以下の幅と、前記直径よりも薄い厚さの平板形状をしており、少なくとも、厚さ方向に撓み可能な部分であり、
前記第２塵取り用素材は、前記第２棒端部分の表面を覆っている携帯型電子機器の掃除棒。
【請求項３】
請求項１または２に記載の携帯型電子機器の掃除棒において、
前記第１塵取り用先端部の前記第１棒端部分は、直径が１ｍｍの円形断面をした長さ５ｍｍの針形状をしており、
前記第２塵取り用先端部の前記第２棒端部分は、厚さが１ｍｍ、幅が３ｍｍの矩形断面をした長さ８ｍｍの平板形状をしており、
前記掃除棒の全長は１００ｍｍである携帯型電子機器の掃除棒。
【請求項４】
請求項１乃至３のうちのいずれか一つの項に記載の携帯型電子機器の掃除棒において、
前記棒本体部は、
円柱状の棒中央部分と、
前記棒中央部分の一方の端および他方端から所定の長さに亘って延びる凹凸状の円形外周面を備えた第１滑り止め部分および第２滑り止め部分と、
前記第１滑り止め部分に連続して延びる先細りの第１円錐状部分と、
前記第２滑り止め部分に連続して延びる先細りの第２円錐状部分と
を備えており、
前記第１円錐状部分に連続して前記第１棒端部分が延びており、
前記第２円錐状部分に連続して前記第２棒端部分が延びている携帯型電子機器の掃除棒。
【請求項５】
請求項１乃至４のうちのいずれか一つの項に記載の携帯型電子機器の掃除棒において、
前記棒本体部はプラスチック成形品であり、
前記第１塵取り用素材は綿からなる起毛素材であり、
前記第２塵取り用素材は不織布からなる起毛素材である携帯型電子機器の掃除棒。
【請求項６】
棒本体部、および、前記棒本体部の一方の端に設けた塵取り用先端部を備えており、
前記塵取り用先端部は、前記棒本体部の一方の端から延びる棒端部分と、この棒端部分に取り付けた塵取り用素材とを備え、所定方向に撓み可能である携帯型電子機器の掃除棒。
【請求項７】
請求項６に記載の携帯型電子機器の掃除棒において、
前記棒本体部は円形断面形状をしており、
前記塵取り用先端部の前記棒端部分は、前記棒本体部よりも小径の円形断面の針形状をした撓み可能な部分であり、
前記塵取り用素材は、前記棒端部分の表面を覆っている携帯型電子機器の掃除棒。
【請求項８】
請求項６または７に記載の携帯型電子機器の掃除棒において、
前記棒本体部は、
円柱状の棒中央部分と、
前記棒中央部分の一方の端から所定の長さに亘って延びる凹凸状の円形外周面を備えた滑り止め部分と、
前記滑り止め部分に連続して延びる先細りの円錐状部分と、
を備えており、
前記円錐状部分に連続して前記棒端部分が延びている携帯型電子機器の掃除棒。
【請求項９】
請求項６、７または８に記載の携帯型電子機器の掃除棒において、
前記棒本体部はプラスチック成形品であり、
前記塵取り用素材は、綿あるいは不織布からなる起毛素材である携帯型電子機器の掃除棒。
【考案の詳細な説明】
【技術分野】
【０００１】
本考案は、スマートフォン等の携帯型電話機、その他の携帯型電子機器の充電ポート、イヤホンジャック等の端子の差込ポート等の部分に溜まる塵等を掻き取るために用いる携帯型電子機器の掃除棒に関する。
【背景技術】
【０００２】
スマートフォン等の携帯型電話機の清掃具としては、特許文献１、２において提案されているようなストラップ型のものが広く知られている。このような清掃具は、不織布等の塵取り用の素材が表面に積層された布状あるいはシート状のものである。
【先行技術文献】
【特許文献】
【０００３】
【特許文献１】実用新案登録第３０８８４２７号公報
【特許文献２】実用新案登録第３０９８７４７号公報
【考案の概要】
【考案が解決しようとする課題】
【０００４】
従来の携帯型電子機器の清掃具は、その画面、操作面に付着した汚れを除去することを主な目的としている。機器の画面、操作面等の表面に付着した汚れは、例えば手持ちのハンカチ、タオル等で除去することも可能である。
【０００５】
携帯型電子機器は一般に、充電用のポート、イヤホンジャック等の端子の差込ポートなどのように、機器表面から奥に入った凹部が形成されている。このような凹部の底等に付着した塵等の汚れを、布状あるいはシート状の清掃具を用いて取り除くことは簡単ではない。特に、携帯型電子機器は小型に作られているので、ポート等の凹部は小さく、幅も狭いので、その奥に布等を差し込み、奥に付着している汚れを取り除くことが困難である。しかしながら、従来においては、このような部位の汚れを簡単かつ効率良く取り除くための清掃具については提案されていない。
【０００６】
本考案の目的は、この点に鑑みて、スマートフォン等の携帯型電話機、その他の携帯型電子機器の充電用のポート、端子の差込用のポート等の部分に溜まる塵等を簡単に取り除くことのできる携帯型電子機器の掃除棒を提供することにある。
【課題を解決するための手段】
【０００７】
上記の課題を解決するために、本考案においては、携帯型電子機器の清掃具として、綿棒のような棒状の形態を採用している。本考案の掃除棒は、棒本体部と、棒本体部の一方の端に設けた第１塵取り用先端部と、棒本体部の他方の端に設けた第１塵取り用先端部とは異なる形状の第２塵取り用先端部とを備えている。また、第１塵取り用先端部は、棒本体部の一方の端から延びる第１棒端部分と、この第１棒端部分に取り付けた第１塵取り用素材とを備えており、所定方向に撓み可能である。第２塵取り用先端部は、棒本体部の他方の端から延び、第１棒端部分とは異なる断面形状をしている第２棒端部分と、この第２棒端部分に取り付けた第２塵取り用素材とを備え、所定方向に撓み可能である。
【０００８】
本考案の掃除棒は、その両端に異なる形状の第１、第２塵取り用先端部を備えている。また、これら第１、第２塵取り用先端部は所定方向に撓み可能である。第１、第２塵取り用先端部を、スマートフォン等の携帯型電子機器における充電用のポート、イヤホンジャック等を差し込むためのポートに挿入可能な大きさ、効果的に汚れを除去可能な寸法に設定される。これにより、これらの部分の奥に付着した塵等の汚れを簡単に除去できる。また、これら第１、第２塵取り用先端部は撓み可能であるので、これらを小さなポートに挿入し、その内部の必要部分に塵取り用素材（起毛素材）が当たるように撓めることで、効率良く、ポート内部の汚れを取り除くことができる。
【０００９】
スマートフォン等の一般的な携帯型電子機器に設けられているポートの形状等を考慮すると、第１塵取り用先端部の第１棒端部分を、円形のポートに対応させて、棒本体部よりも小径の円形断面の針形状をした撓み可能な部分とすることが望ましい。また、第２塵取り用先端部の第２棒端部分を、矩形のポートに対応させて、棒本体部の直径以下の幅と、直径よりも薄い厚さの平板形状とし、その厚さ方向に撓み可能な部分とすることが望ましい。
【００１０】
この場合において、例えば、一般的なスマートフォンを対象とする場合には、第１塵取り用先端部の第１棒端部分を、直径が１ｍｍの円形断面をした長さ５ｍｍの針形状をした部分とし、第２塵取り用先端部の第２棒端部分を、厚さが１ｍｍ、幅が３ｍｍの矩形断面をした長さ８ｍｍの薄い平板形状の部分とすることが望ましい。また、掃除棒の全長を例えば１００ｍｍ程度にすればよい。
【００１１】
本考案の掃除棒の各部分の素材は各種のものを用いることができる。一例として、棒本体部をプラスチック成形品とし、第１塵取り用素材として、綿からなる起毛素材を使用し、第２塵取り用素材として、不織布からなる起毛素材を使用することができる。
【００１２】
ここで、本考案の掃除棒を、第１、第２塵取り用先端部のうち、一方の塵取り用先端部を備えた構成とすることもできる。この場合における本考案の掃除棒は、棒本体部と、棒本体部の一方の端に設けた塵取り用先端部とを備えている。塵取り用先端部は、棒本体部の一方の端から延びる棒端部分と、この棒端部分に取り付けた塵取り用素材とを備えており、所定方向に撓み可能である。
【００１３】
この構成の掃除棒は、その一方の端に塵取り用先端部を備えている。この塵取り用先端部は所定方向に撓み可能である。塵取り用先端部は、スマートフォン等の携帯型電子機器における充電用のポート、イヤホンジャック等を差し込むためのポートに挿入可能な大きさ、効果的に汚れを除去可能な寸法に設定される。これにより、これらの部分の奥に付着した塵等の汚れを簡単に除去できる。また、塵取り用先端部は撓み可能であるので、これを小さなポートに挿入し、その内部の必要部分に塵取り用素材（起毛素材）が当たるように撓めることで、効率良く、ポート内部の汚れを取り除くことができる。
【図面の簡単な説明】
【００１４】
【図１】本考案を適用したスマートフォンの掃除棒の一例を示す全体図である。
【図２】（ａ）は図１の掃除棒の棒本体部の全体を示す説明図、（ｂ）はその棒中央部分の断面形状を示す説明図、（ｃ）は一方の第１棒端部分の断面形状を示す説明図、（ｄ１）、（ｄ２）は他方の第２棒端部分の断面形状および輪郭形状を示す説明図である。
【図３】掃除棒の使用例を示す説明図である。
【図４】本考案を適用したスマートフォンの掃除棒の別の例を示す全体図である。
【考案を実施するための形態】
【００１５】
以下に、図面を参照して、本考案を適用した携帯型電子機器の掃除棒の実施の形態を説明する。以下の実施の形態は、スマートフォンの掃除棒に関するものであるが、本考案はスマートフォン以外の携帯型電話機、その他の携帯型電子機器に対しても使用可能なことは勿論である。
【００１６】
図１は実施の形態に係るスマートフォンの掃除棒を示す全体図である。スマートフォンの掃除棒１（以下、単に「掃除棒１」という。）は、直線状に延びる細長い棒本体部２と、この棒本体部２の一方の端に設けた第１塵取り用先端部３と、棒本体部２の他方の端に設けた第２塵取り用先端部４とを備えている。第１塵取り用先端部３は、棒本体部２の一方の端から延びる第１棒端部分２１と、この第１棒端部分２１に取り付けた第１塵取り用素材３１とを備えている。第２塵取り用先端部４は、棒本体部２の他方の端から延び、第１棒端部分２１とは異なる形状の第２棒端部分２２と、この第２棒端部分２２に取り付けた第２塵取り用素材４１とを備えている。
【００１７】
本例の棒本体部２は、棒中央部分２０ａと、この棒中央部分２０ａの一方の第１の端および他方の第２の端から所定の長さに亘って延びる凹凸状の外周面を備えた円形断面の第１滑り止め部分２０ｂおよび第２滑り止め部分２０ｃと、第１滑り止め部分２０ｂに連続して延びる先細りの第１円錐状部分２０ｄと、第２滑り止め部分２０ｃに連続して延びる先細りの第２円錐状部分２０ｅとを備えている。第１円錐状部分２０ｄに連続して第１棒端部分２１が延びており、第２円錐状部分２０ｅに連続して第２棒端部分２２が延びている。棒中央部分２０ａ、両側の滑り止め部分２０ｂ、２０ｃは、掃除棒１を握るための握り部分として機能する。これらの部分は本例では直線状に延びる部分であるが、曲線状にすることも可能であり、これらの部分を折り曲げ可能な素材から形成することも可能である。
【００１８】
図２（ａ）は掃除棒１の棒本体部２の全体を示す説明図であり、図２（ｂ）はその棒中央部分の断面形状を示す説明図であり、図２（ｃ）はその一方の端の第１棒端部分の断面形状を示す説明図であり、図２（ｄ１）および（ｄ２）は、その他方の端の第２棒端部分の断面形状および輪郭形状を示す説明図である。
【００１９】
これらの図を参照して説明すると、棒本体部２の棒中央部分２０ａは円形断面をしている。棒本体部２の一方の端に設けた第１塵取り用先端部３の第１棒端部分２１は、棒中央部分２０ａよりも小径の円形断面の針形状をしており、撓み可能な部分である。第１棒端部分２１は全体として、第１塵取り用素材３１によって覆われている。第１塵取り用素材３１は、例えば綿等の起毛素材であり、これが第１棒端部分２１の全体を包み込む状態に取り付けられている。第１塵取り用素材としては、布、パッド、スポンジ等の形態のものであってもよい。
【００２０】
同様に、棒本体部２の他方の端に設けた第２塵取り用先端部４の第２棒端部分２２は、棒中央部分２０ａの直径と同一あるいはそれ以下の幅寸法と、直径よりも薄い厚さ寸法とを備えた薄い平板形状をしており、その厚さ方向に撓み可能な部分である。また、第２棒端部分２２の全体も、第２塵取り用素材４１によって覆われている。第２塵取り用素材４１は、例えば微細繊維状の不織布からなる起毛素材であり、これが、第２棒端部分２２の全体を包み込む状態に取り付けられている。第２塵取り用素材も、布、パッド、スポンジ等の形態のものであってもよい。
【００２１】
ここで、各部分の具体的な寸法例について説明する。寸法は一例であり、以下の寸法に限定されるものではない。まず、棒本体部２の全長は１００ｍｍである。第１塵取り用先端部３の第１棒端部分２１は、直径が１ｍｍの円形断面をした長さ５ｍｍの針形状をしている。第２塵取り用先端部４の第２棒端部分２２は、厚さが１ｍｍ、幅が３ｍｍの矩形断面をした長さ８ｍｍの平板形状をしている。したがって、第２棒端部分２２が繋がっている第２円錐状部分２０ｅの先端部分は括れ部分２０ｆとなっており、ここを中心として、第２塵取り用先端部４は全体として各方向に撓み可能である。
【００２２】
図３は、掃除棒１の使用例を示す説明図であり、スマートフォンのポート内の汚れを取り除く状態を示している。この図に示すように、スマートフォン１０の底側の端面には、一般に細長い矩形の充電用のポート１１が形成されている。掃除棒１を手にもって、その平板形状の第２塵取り用先端部４をポート１１に挿入して、その内周面、底面に付着している塵等の汚れを取り除くことができる。反対側の針形状の第１塵取り用先端部３を用いて汚れを取り除くこともできる。細くて狭い凹部の内部の汚れを簡単に取り除くことができる。勿論、スマートフォン１０の表面に付着している汚れも除去できる。
【００２３】
次に、図４は本考案を適用したスマートフォンの掃除棒の別の実施例を示す全体図である。この図に示すスマートフォンの掃除棒１００（以下、単に「掃除棒１００」という。）は、直線状に延びる細長い棒本体部１２０と、この棒本体部１２０の先端に設けた塵取り用先端部１３０とを備えている。塵取り用先端部１３０は、棒本体部１２０の先端から延びる棒端部分１２１と、この棒端部分１２１に取り付けた塵取り用素材１３１とを備えている。
【００２４】
本例の棒本体部１２０は、棒中央部分１２０ａと、この棒中央部分１２０ａの先端から所定の長さに亘って延びる凹凸状の外周面を備えた円形断面の滑り止め部分１２０ｂと、滑り止め部分１２０ｂに連続して延びる先細りの円錐状部分１２０ｄとを備えている。円錐状部分１２０ｄに連続して棒端部分１２１が延びている。棒中央部分１２０ａ、滑り止め部分１２０ｂは、掃除棒１００を握るための握り部分として機能する。この部分は本例では直線状に延びる部分であるが、曲線状にすることも可能であり、この部分を折り曲げ可能な素材から形成することも可能である。
【００２５】
棒本体部１２０の棒中央部分１２０ａは例えば円形断面をしている。棒本体部１２０の先端に設けた塵取り用先端部１３０の棒端部分１２１は、棒中央部分１２０ａよりも小径の円形断面の針形状をしており、撓み可能な部分である。棒端部分１２１は全体として、塵取り用素材１３１によって覆われている。塵取り用素材１３１は、例えば綿、ナイロン（登録商標）等の起毛素材であり、これが棒端部分１２１の全体を包み込む状態に取り付けられている。塵取り用素材としては、布、パッド、スポンジ等の形態のものであってもよい。なお、塵取り用先端部１３０は先に述べた実施例（図１〜図３）における第１塵取り用先端部３と同様であるが、塵取り用先端部１３０を第２塵取り用先端部４と同様な構成とすることも可能である。
【符号の説明】
【００２６】
１  掃除棒
２  棒本体部
３  第１塵取り用先端部
４  第２塵取り用先端部
１０  スマートフォン
１１  ポート
２０ａ  棒中央部分
２０ｂ  第１滑り止め部分
２０ｃ  第２滑り止め部分
２０ｄ  第１円錐状部分
２０ｅ  第２円錐状部分
２０ｆ  括れ部分
２１  第１棒端部分
２２  第２棒端部分
３１  第１塵取り用素材
４１  第２塵取り用素材
１００  掃除棒
１２０  棒本体部
１２０ａ  棒中央部分
１２０ｂ  滑り止め部分
１２０ｄ  円錐状部分
１２１  棒端部分
１３０  塵取り用先端部
１３１  塵取り用素材
【図１】
0003225349.tif 000003
【図２】
0003225349.tif 000004
【図３】
0003225349.tif 000005
【図４】
0003225349.tif 000006